(57)【要約】【課題】生え際が自然に見えるかつらを得る。【解決手段】かつら５は、前頭部、頭頂部、及び側頭部のうち、少なくとも前頭部に装着される植毛基布７を有し、この植毛基布７には、人毛若しくは人工毛からなる毛髪が植設されている。そして、前頭部に対応する前面部１に植設した毛髪の径を、頭頂部に対応する上面部２に植設した毛髪の径よりも小径とした。【選択図】  図１
2007186819.tif 000002
【特許請求の範囲】
【請求項１】
前頭部、頭頂部、及び側頭部のうち、少なくとも前頭部に装着される植毛基布を有し、該植毛基布に人毛若しくは人工毛からなる毛髪を植設したかつらにおいて、
前記前頭部に対応する部分に植設した毛髪の径を、前記頭頂部に対応する部分に植設した毛髪又は前記頭頂部の毛髪の径よりも小径とした、
ことを特徴とするかつら。
【請求項２】
前頭部、頭頂部、及び側頭部のうち、少なくとも側頭部に装着される植毛基布を有し、該植毛基布に人毛若しくは人工毛からなる毛髪を植設したかつらにおいて、
前記側頭部に対応する部分に植設した毛髪の径を、前記頭頂部に対応する部分に植設した毛髪又は前記頭頂部の毛髪の径よりも小径とした、
ことを特徴とするかつら。
【請求項３】
前記前頭部に対応する部分における前記頭頂部との隣接側の反対側で、該前頭部に対応する部分と略同一面内の縁部に複数の凸部を形成し、該凸部にも毛髪を植設した、
ことを特徴とする請求項１に記載のかつら。
【請求項４】
前記側頭部に対応する部分における前記頭頂部との隣接側の反対側で、該側頭部に対応する部分と略同一面内の縁部に複数の凸部を形成し、該凸部にも毛髪を植設した、
ことを特徴とする請求項２に記載のかつら。
【請求項５】
前記前頭部に対応する部分に植設した毛髪の植毛密度を変化させた、
ことを特徴とする請求項１又は３に記載のかつら。
【請求項６】
前記側頭部に対応する部分に植設した毛髪の植毛密度を変化させた、
ことを特徴とする請求項２又は４に記載のかつら。
【発明の詳細な説明】
【技術分野】
【０００１】
本発明は、前頭部、頭頂部、及び側頭部等に装着される植毛基布を有し、この植毛基布に人毛若しくは人工毛からなる毛髪を植設したかつらに関する。
【背景技術】
【０００２】
この種「かつら」として、従来、例えば、額と地髪の生え際に相当するフロント部分の植毛本数を他の部分よりも少なくして、自然の地髪のように見せるようにした「かつら」が公知である（特許文献１参照）。
【０００３】
すなわち、この従来技術によれば、額の上部に相当する植毛基布のフロント部分を複数の山形に形成し、この山形部分の先端に取り付けられるミノ（紐状体に毛髪を所定間隔で植設したもの）に植設した毛髪の本数を、他の部分の毛髪の本数よりも少なくしている。
【特許文献１】特開平１１−３６１２６号公報（第２頁、図５）
【発明の開示】
【発明が解決しようとする課題】
【０００４】
しかし、特許文献１のように、ミノに植設した毛髪の本数を少なくしただけでは、毛髪の太さや植毛密度との関係もあるので、必ずしも自然の生え際に見える「かつら」となるか否かは定かではない。毛髪の本数が少なくても、毛髪の硬さや太さによっては不自然に見える場合もあるからである。
【０００５】
このため、特許文献１の「かつら」では、装着したときに額等との生え際が自然にならず、「かつら」を着用していることが容易に他人にわかってしまうという課題があった。また、特許文献１では、植毛基布のフロント部分に山形を形成し、この山形部分の先端にミノを取り付け、これらのミノを複数組み合わせるという複雑な構成のため、多大な作業工数を要する。
【０００６】
本発明は斯かる課題を解決するためになされたもので、その目的とするところは、生え際が自然に見えるかつらを提供することにある。
【課題を解決するための手段】
【０００７】
前記目的を達成するため、請求項１に係る発明は、
前頭部、頭頂部、及び側頭部のうち、少なくとも前頭部に装着される植毛基布を有し、該植毛基布に人毛若しくは人工毛からなる毛髪を植設したかつらにおいて、
前記前頭部に対応する部分に植設した毛髪の径を、前記頭頂部に対応する部分に植設した毛髪又は前記頭頂部の毛髪の径よりも小径としたことを特徴とする。
【０００８】
請求項２に係る発明は、
前頭部、頭頂部、及び側頭部のうち、少なくとも側頭部に装着される植毛基布を有し、該植毛基布に人毛若しくは人工毛からなる毛髪を植設したかつらにおいて、
前記側頭部に対応する部分に植設した毛髪の径を、前記頭頂部に対応する部分に植設した毛髪又は前記頭頂部の毛髪の径よりも小径としたことを特徴とする。
【０００９】
請求項３に係る発明は、請求項１に記載のかつらにおいて、
前記前頭部に対応する部分における前記頭頂部との隣接側の反対側で、該前頭部に対応する部分と略同一面内の縁部に複数の凸部を形成し、該凸部にも毛髪を植設したことを特徴とする。
【００１０】
請求項４に係る発明は、請求項２に記載のかつらにおいて、
前記側頭部に対応する部分における前記頭頂部との隣接側の反対側で、該側頭部に対応する部分と略同一面内の縁部に複数の凸部を形成し、該凸部にも毛髪を植設したことを特徴とする。
【００１１】
請求項５に係る発明は、請求項１又は３に記載のかつらにおいて、
前記前頭部に対応する部分に植設した毛髪の植毛密度を変化させたことを特徴とする。
請求項６に係る発明は、請求項２又は４に記載のかつらにおいて、
前記側頭部に対応する部分に植設した毛髪の植毛密度を変化させたことを特徴とする。
【発明の効果】
【００１２】
本発明によれば、例えば前頭部に対応する部分に植設した毛髪の径を、頭頂部に対応する部分に植設した毛髪又は頭頂部の毛髪の径よりも小径としたことにより、見た目に生え際が自然に見え、他人が見てもかつらを着用していることが容易にはわからないという効果を有する。よって、利用者が安心してかつらを着用することができる。
【発明を実施するための最良の形態】
【００１３】
以下、図面を参照しながら、本発明の実施の形態について詳細に説明する。
【００１４】
（第１の実施の形態）
図１は、第１の実施の形態のかつらの全体の平面図であり、図２は、図１のII−II線に沿う断面図であり、図３は、図１から毛髪を除いた場合の側面図である。
以上において、かつら５は、前頭部、頭頂部、及び側頭部のうち、少なくとも前頭部又は側頭部に装着される植毛基布７を有している。この植毛基布７には、人毛若しくは人工毛からなる毛髪１０が植設され、前頭部に対応する前面部１、頭頂部に対応する上面部２、及び側頭部に対応する周縁部３を有している。
【００１５】
なお、図３では、前面部１と上面部２の境界部に波状部４が形成されているが、これは境界をぼかして自然なかつらに見せるためであり、図１のように、この波状部４を設けるか否かは任意である。また、植毛基布７において、前面部１と上面部２、及び周縁部３の境界線については、明確な基準があるわけではないが、植毛基布７の平面視及び側面視において、およそ図１〜図３に示した位置関係及び面積比に相当するものと考えれば良い。
【００１６】
本実施の形態では、前面部１に植設した毛髪の径を、上面部２に植設した毛髪の径、又は頭頂部の毛髪の径よりも小径とした。なお、頭頂部の毛髪（地髪）の径をも対象としたのは、部分かつらの場合を考慮したものである。すなわち、例えば前頭部にのみ装着される部分かつらの場合は、前面部１に植設した毛髪の径と、頭頂部の毛髪の径とが比較される。
【００１７】
図１及び図２において、上面部２には、通常のかつらに用いられるφ０．０５ｍｍ〜０．０８ｍｍの大径の毛髪１０ｂが植設され、周縁部３にも、通常のかつらに用いられるφ０．０５ｍｍ〜０．０８ｍｍの大径の毛髪１０ｃが植設されている。一方、前面部１には、上面部２及び周縁部３に植毛された毛髪１０ｂ、１０ｃよりも小径のφ０．０３ｍｍ〜０．０５ｍｍの毛髪１０ａが植設されている。
【００１８】
なお、本実施形態では、毛髪の径をφとして、断面円形の毛髪を対象として説明するが、その他の断面形状の毛髪にも適用されるものである。
このように、前面部１に植設した毛髪の径を、上面部２と周縁部３に植設した毛髪の径よりも小径とすることで、植毛基布７に植設された毛髪を地髪のように見せることができる。その理由は、一般に、人間の頭髪は、地肌部分から突如として太い径の髪が生えているのではなく、地肌部分と頭髪部分との境界は細い軟らかい髪が生えているのが通常だからである。従って、本実施の形態のかつら５のように、特に他人の目につきやすい前面部１の毛髪の径を細い径の毛髪とすることで、装着した場合に生え際が自然に見えるかつら５とすることができる。
【００１９】
本実施の形態によれば、頭部に装着した状態のかつら５を他人が見た場合に、前面部１の生え際が自然で、あたかも地髪なのかかつら５なのかの判別が困難で、他人が見てもかつらを着用していることが容易にはわからないほどの効果を有する。
【００２０】
（第２の実施の形態）
図４は、第２の実施の形態のかつらの全体平面図である。
前述した第１の実施の形態では、前面部１に植設した毛髪の径を小径としたが、本実施の形態では、前面部１及び周縁部３に植設する毛髪の径を小径としたものである。すなわち、周縁部３に植設した毛髪の径を、上面部２に植設した毛髪の径、又は頭頂部の毛髪の径よりも小径とした。なお、頭頂部の毛髪の径をも対象としたのは、前述と同様に部分かつらの場合を考慮したものである。
【００２１】
図４において、前面部１及び周縁部３に植設する毛髪１０ａ、１０ｃの径をφ０．０３ｍｍ〜０．０５ｍｍの小径とし、上面部２に植設する毛髪１０ｂの径をφ０．０５ｍｍ〜０．０８ｍｍの大径としている。
【００２２】
本実施の形態では、植毛基布７における前面部１と周縁部３に植設した毛髪の径を小径としたので、植設された毛髪を一層地髪のように見せることができる。すなわち、特に地肌部分と前面部１又は周縁部３の境界は細い軟らかい髪が生えているのが通常であり、これらの境界部分の毛髪を細い径の毛髪とすることで、生え際が自然に見えるかつら５とすることができる。
【００２３】
本実施の形態によれば、頭部に装着した状態のかつら５を他人が見た場合に、前面部１と周縁部３の生え際が更に自然で、他人が見てもかつらを着用していることが容易にはわからないほどの効果を有する。
【００２４】
（第３の実施の形態）
図５は、第３の実施の形態のかつら５の全体平面図である。
同図において、前面部１における上面部２との隣接側の反対側で、前面部１と略同一面内の縁部に複数の凸部１２が形成されている。また、この凸部１２の間隔と突出量は不規則に形成されている。そして、これら凸部１２の間隔と突出量は、必要に応じて適宜に変更することができる。
【００２５】
本実施の形態では、上面部２には、通常のかつらに用いられるφ０．０５ｍｍ〜０．０８ｍｍの大径の毛髪１０ｂが植設されている。また、凸部１２を含む前面部１には、上面部２に植毛された毛髪１０ｂよりも小径のφ０．０３ｍｍ〜０．０５ｍｍの毛髪１０ａが植設されている。
【００２６】
なお、周縁部３に植設される毛髪は、図示を省略しているが、第１の実施の形態と同様に大径の毛髪を植設しても良いし、また、小径の毛髪を植設しても良い。
本実施の形態によれば、前面部１における上面部２との隣接側と反対側の縁部に複数の凸部１２を形成し、この凸部１２にも小径のφ０．０３ｍｍ〜０．０５ｍｍの毛髪１０ａを植設したことで、植毛基布７の前面部１に植設された毛髪を、地髪と同様に見せることができる。
【００２７】
特に、本実施の形態では、前面部１の縁部に凸部１２を形成し、この凸部１２に小径の毛髪を植設したことで、前面部１の縁部に凹凸状に形成された凸部１２から不規則に毛髪が生えているので、頭部に装着したかつら５を他人が見た場合に、前面部１の生え際がきわめて自然であり、かつらを着用していることの判別が困難なほどである。
【００２８】
（第４の実施の形態）
図６は、第４の実施の形態のかつらの全体平面図である。
同図において、周縁部３における上面部２との隣接側の反対側で、周縁部３と略同一面内の縁部に複数の凸部１１２が形成されている。また、この凸部１１２の間隔と突出量は不規則に形成されている。そして、これら凸部１２の間隔と突出量は、必要に応じて適宜に変更することができる。
【００２９】
本実施の形態では、上面部２には、通常のかつらに用いられるφ０．０５ｍｍ〜０．０８ｍｍの大径の毛髪１０ｂが植設されている。また、凸部１２を含む前面部１と、凸部１１２を含む周縁部３には、上面部２に植毛された毛髪１０ｂよりも小径のφ０．０３ｍｍ〜０．０５ｍｍの毛髪１０ａ、１０cが植設されている。
【００３０】
なお、本実施の形態では、周縁部３の縁部に複数の凸部１１２を形成し、この凸部１１２に小径の毛髪を植設すると共に、前面部１の縁部に複数の凸部１２を形成し、この凸部１２に小径の毛髪を植設した場合について説明した。しかし、これに限らず、周縁部３の縁部にのみ複数の凸部１１２を形成しても良い。また、凸部１１２を含む周縁部３には、小径の毛髪１０cが植設されている場合について説明したが、これに限らず、例えば大径の毛髪を植設しても良い。
【００３１】
本実施の形態では、周縁部３の縁部に形成した複数の凸部１１２に小径の毛髪を植設したので、生え際を自然に見せることができる。そして、凸部１２を含む前面部１にも小径の毛髪を植設することで、植毛基布７に植設された毛髪を一層地髪のように見せることができる。
【００３２】
（第５の実施の形態）
図７は、図５に示した前面部１の植毛密度を拡大平面図で示した植毛密度分布図である。また、図６に示した周縁部３の植毛密度分布もこれに準じるが、前面部１の植毛密度と同様であるので図示は省略する。
【００３３】
同図７において、本実施の形態では、領域Ａの植毛部分よりも領域Ｂの植毛部分の方が毛髪の植毛密度が高く、また、領域Ｂの植毛部分よりも領域Ｃの植毛部分の方が毛髪の植毛密度が高い。更に、領域Ｃの植毛部分よりも領域Ｄの植毛部分の方が毛髪の植毛密度が高い。換言すると、領域Ａの植毛部分は、領域Ｂの植毛部分よりも植毛密度が低く、更に領域Ｃと領域Ｄの植毛部分よりも植毛密度が低い。
【００３４】
そして、毛髪の植毛密度に関して、Ａ＜Ｂ＜Ｃ＜Ｄの関係で不規則に植毛されている。具体的には、１個の黒点を毛髪の１本とすれば、領域Ａは、単位面積当たり０．０１９本、領域Ｂは、単位面積当たり０．０２４５本、領域Ｃは、単位面積当たり０．０３１本、領域Ｄは、単位面積当たり０．０４本となっている。
【００３５】
以上により、各領域の植毛密度は、Ａ＜Ｂ＜Ｃ＜Ｄの関係であることがわかる。なお、これらの数値は必ずしも限定的なものではなく、適宜に変更可能である。また、この植毛密度はかつらの種類によっても異なるのは勿論である。
【００３６】
図８は、前面部１の凸部１２をいわゆる「富士額」とした植毛密度分布を示す図である。すなわち、本実施の形態では、中央の凸部１２の前部に、更に前方に突出するような三角形の凸部１３を取り付けている。前頭部の髪の生え際は、前面から見て中央がわずかに突出して生えているのが一般的だからである。なお、当然のことながら、前面部１の凸部１２を「富士額」とするのは、前面部１にのみ用いられ、周縁部３の凸部１１２には用いられない。
【００３７】
そして、本実施の形態では、毛髪の植毛密度に関して、Ｅ＜Ｆ＜Ｈ＜Ｇ＜Iの関係で不規則に植毛されている。具体的には、１個の黒点を毛髪の１本とすれば、領域Ｅは、単位面積当たり０．０１５本、領域Ｆは、単位面積当たり０．０１９本、領域Ｇは、単位面積当たり０．０２４５本、領域Ｈは、単位面積当たり０．０３１本、領域Ｉは、単位面積当たり０．０４本となっている。
【００３８】
以上により、各領域の植毛密度は、Ｅ＜Ｆ＜Ｈ＜Ｇ＜Iの関係であることがわかる。なお、これらの数値も必ずしも限定的なものではなく、適宜に変更可能である。また、この植毛密度はかつらの種類によっても異なるのは勿論である。
【００３９】
なお、図７及び図８では、植毛密度分布をわかり易くするために、各領域に境界線を描き植毛分布を示しているが、実際には、前面部１（及び周縁部３）に線が描かれているものではない。
【００４０】
本実施の形態によれば、本発明の生え際が自然なかつらは、かつら着装時に生え際が自然なため、他人からかつらの着装を容易に知られることなく、安心してかつらを着装できるという効果がある。
【図面の簡単な説明】
【００４１】
【図１】本発明の第１の実施の形態におけるかつらの全体平面図である。
【図２】同上のII−II線に沿う断面図である。
【図３】同上の側面図である。
【図４】本発明の第２の実施の形態におけるかつらの全体平面図である。
【図５】本発明の第３の実施の形態におけるかつらの全体平面図である。
【図６】本発明の第４の実施の形態におけるかつらの全体平面図である。
【図７】前面部の植毛密度を拡大して示す植毛密度分布図である。
【図８】前面部の植毛密度を拡大して示す植毛密度分布図である。
【符号の説明】
【００４２】
１      前面部
２      上面部
３      周縁部
５      かつら
７      植毛基布
１０    毛髪
１０ａ  前面部に植設した毛髪
１０ｂ  上面部に植設した毛髪
１０ｃ  周縁部に植設した毛髪
１２    凸部
１３    凸部
１１２  凸部
【図１】
2007186819.tif 000003
【図２】
2007186819.tif 000004
【図３】
2007186819.tif 000005
【図４】
2007186819.tif 000006
【図５】
2007186819.tif 000007
【図６】
2007186819.tif 000008
【図７】
2007186819.tif 000009
【図８】
2007186819.tif 000010